(57)【特許請求の範囲】
【請求項１】
上沓と下部構造物に固定される下部支持部材とを支承と共に搬送して下部構造物上に設置する橋梁用支承装置の据付方法において、前記下部支持部材はその橋軸直角方向の両側に側部支持部材が設けられ、下部支持部材と上沓との間に支承が介在され、上沓上に配置されたスペーサを押圧する押圧部を有する固定治具を前記側部支持部材に配置して、側部支持部材に直接又は側部支持部材を介して下部支持部材にボルトにより固定することで、上沓とこれに対向するように下部支持部材又は側部支持部材側に設けられる上揚力抵抗部との間の間隙を一定に保ち、かつ下部支持部材と上沓とその間の前記支承の移動を拘束した状態で、上部構造物と共に下部支持部材及び支承を下部構造物上に搬送して配置した後、前記固定治具を固定しているボルトを緩める又は脱着することで、前記スペーサを取り外すことを特徴とする橋梁用支承装置の据付方法。
【請求項２】
前記側部支持部材には、上沓側に張り出す上揚力抵抗部が設けられており、前記固定治具を固定しているボルトを緩める又は脱着することで、固定治具も取り外すことを特徴とする請求項１の橋梁用支承装置の据付方法。
【請求項３】
前記固定治具を固定しているボルトを緩める又は脱着することで、固定治具も取り外すことを特徴とする請求項１の橋梁用支承装置の据付方法。
【請求項４】
前記固定治具を固定しているボルトを緩める又は脱着することで、前記スペーサを取り外した後、ボルトを締め込むことで、固定治具を固定し、固定治具の押圧部を上揚力抵抗部とすることを特徴とする請求項１の橋梁用支承装置の据付方法。
【請求項５】
前記固定治具は、橋軸方向に開口するボルト挿通用スリットを有する基板に、縦部分が一体に設けられ、その縦部分の上部に橋軸直角方向の上沓側に張り出す押圧部を備えていることを特徴とする請求項１〜４のいずれか１項に記載の橋梁用支承装置の据付方法。
【請求項６】
請求項１〜４のいずれか１項に記載の橋梁用支承装置の据付方法に用いられる固定治具であって、橋軸方向に開口するボルト挿通用スリットを有する基板に、縦部分が一体に設けられ、その縦部分の上部に橋軸直角方向の上沓側に張り出す押圧部を備えていることを特徴とする固定治具。
【発明の詳細な説明】
【技術分野】
【０００１】
本発明は、下部構造物上に設置される橋梁用支承装置の据付方法、橋桁等の上部構造物と共に搬送設置される橋梁用支承装置の据付方法及びその方法に用いる固定治具に関する。
【背景技術】
【０００２】
従来、上部構造物側に固定される鋼製上沓に対して、下部構造物側に固定される下部支持部材側に設けられる上揚力抵抗部材を対向するように配置することは知られている（例えば、特許文献１，２参照）。
また、弾性支承装置を桁の下部に取り付けた状態で搬送することは知られている（例えば、特許文献２参照）。
【先行技術文献】
【特許文献】
【０００３】
【特許文献１】特開平０９−５９９２７号公報
【特許文献２】特開２００１−３３１５号公報
【発明の概要】
【発明が解決しようとする課題】
【０００４】
上部構造物側に固定される鋼製上沓に対して、下部構造物側に固定される下部支持部材側に設けられる上揚力抵抗部材の先端部を、間隙を介して間隔をおいて対向配置させることで、桁の撓みによる微小回転を許容できる。
本発明は、上部構造物側に固定される上沓と、下部構造物側に固定される下部支持部材上の支承とを搬送して下部構造物上に据え付ける場合に、前記の間隙を容易に確実にまた正確に設けることが可能な支承装置の据え付け方法及びその方法に用いる固定治具を提供することを目的とする。
【課題を解決するための手段】
【０００５】
第１発明の橋梁用支承装置の据付方法では、上部構造物に固定された上沓と下部構造物に固定される下部支持部材とを支承と共に搬送して下部構造物上に設置する橋梁用支承装置の据付方法において、前記下部支持部材はその橋軸直角方向の両側に側部支持部材が設けられ、下部支持部材と上沓との間に支承が介在され、上沓上に配置されたスペーサを押圧する押圧部を有する固定治具を前記側部支持部材に配置して、側部支持部材に直接又は側部支持部材を介して下部支持部材にボルトにより固定することで、上沓とこれに対向するように下部支持部材又は側部支持部材側に設けられる上揚力抵抗部との間の間隙を一定に保ち、かつ下部支持部材と上沓とその間の前記支承の移動を拘束した状態で、上部構造物と共に下部支持部材及び支承を下部構造物上に搬送して配置した後、前記固定治具を固定しているボルトを緩める又は脱着することで、前記スペーサを取り外すことを特徴とする。
第２発明では、第１発明の橋梁用支承装置の据付方法において、前記側部支持部材には、上沓側に張り出す上揚力抵抗部が設けられており、前記固定治具を固定しているボルトを緩める又は脱着することで、固定治具も取り外すことを特徴とする。
第３発明では、第１発明の橋梁用支承装置の据付方法において、前記固定治具を固定しているボルトを緩める又は脱着することで、固定治具も取り外すことを特徴とする。
第４発明では、第１発明の橋梁用支承装置の据付方法において、前記固定治具を固定しているボルトを緩める又は脱着することで、前記スペーサを取り外した後、ボルトを締め込むことで、固定治具を固定し、固定治具の押圧部を上揚力抵抗部とすることを特徴とする。
第５発明では、第１発明〜第４発明のいずれかの橋梁用支承装置の据付方法において、前記固定治具は、橋軸方向に開口するボルト挿通用スリットを有する基板に、縦部分が一体に設けられ、その縦部分の上部に橋軸直角方向の上沓側に張り出す押圧部を備えていることを特徴とする。
第６発明では、第１〜第４発明のいずれかの橋梁用支承装置の据付方法に用いられる固定治具であって、前記固定治具は、橋軸方向に開口するボルト挿通用スリットを有する基板に、縦部分が一体に設けられ、その縦部分の上部に橋軸直角方向の上沓側に張り出す押圧部を備えていることを特徴とする。
【発明の効果】
【０００６】
第１発明によると、上沓と下部構造物に固定される下部支持部材とを支承と共に搬送して下部構造物上に設置する橋梁用支承装置の据付方法において、前記下部支持部材はその橋軸直角方向の両側に側部支持部材が設けられ、下部支持部材と上沓との間に支承が介在され、上沓上に配置されたスペーサを押圧する押圧部を有する固定治具を前記側部支持部材に配置して、側部支持部材に直接又は側部支持部材を介して下部支持部材にボルトにより固定することで、上沓とこれに対向するように下部支持部材又は側部支持部材側に設けられる上揚力抵抗部との間の間隙を一定に保ち、かつ下部支持部材と上沓とその間の前記支承の移動を拘束した状態で、上部構造物と共に下部支持部材及び支承を下部構造物上に搬送して配置した後、前記固定治具を固定しているボルトを緩める又は脱着することで、前記スペーサを取り外すので、側部支持部材に配置されているボルト又は側部支持部材を下部支持部材に固定するためのボルトを利用して、固定治具を側部支持部材又は側部支持部材を介して下部支持部材に取り付けて、上沓と上揚力抵抗部との間の間隙を正確に一定に保つためのスペーサを、上沓上面と固定治具との間に容易に介在して保持することができると共に、上沓と下部支持部材及びこれらの間の支承の移動を防止するように仮固定した状態で搬送することができ、桁等の上部構造物と共に下部構造物上への支承装置の搬送設置作業および上沓と上揚力抵抗部との間の間隙が正確な施工をすることができる等の効果が得られる。
また、側部支持部材に配置されるボルトを操作することで、スペーサを取り外すことができるので、機械的な操作でスペーサの撤去を行うことができるので、施工が容易である等の効果が得られる。また、現場におけるスペーサを他の支承装置の搬送作業に利用することもできる等の効果も得られる。
第２発明によると、第１発明の橋梁用支承装置の据付方法において、前記側部支持部材には、上沓側に張り出す上揚力抵抗部が設けられており、前記固定治具を固定しているボルトを緩める又は脱着することで、固定治具も取り外すので、第１発明の効果に加えて、機械的な操作で固定治具の撤去を行うことができるので、施工が容易である等の効果が得られる。
第３発明によると、前記固定治具を固定しているボルトを緩める又は脱着することで、固定治具も取り外すので、第１発明の効果に加えて、機械的な操作でスペーサ及び固定治具の撤去を行うことができるので、施工が容易である等の効果が得られる。また、現場におけるスペーサ及び固定治具を他の支承装置の搬送作業に利用することもできる等の効果も得られる。
第４発明では、第１発明の橋梁用支承装置の据付方法において、前記固定治具を固定しているボルトを緩める又は脱着することで、前記スペーサを取り外した後、ボルトを締め込むことで、固定治具を固定し、固定治具の押圧部を上揚力抵抗部とするので、側部支持部材側に上揚力抵抗部を備えていない場合でも、固定治具における押圧部を上揚力抵抗部として利用することができる等の効果が得られる。
第５発明では、第１発明〜第４発明のいずれかの橋梁用支承装置の据付方法において、前記固定治具は、橋軸方向に開口するボルト挿通用スリットを有する基板に、縦部分が一体に設けられ、その縦部分の上部に橋軸直角方向の上沓側に張り出す押圧部を備えているので、側部支持部材に配置されるボルトを利用して側部支持部材上に固定治具を配置して固定することができ、また、固定治具を固定しているボルトを若干緩めることで、固定治具を橋軸方向に移動して、固定治具を側部支持部材から離脱させることができ、固定治具の取り外し作業が容易になる。また、側部支持部材が下部支持部材に一体又はボルトにより固定されている形態では、ボルトを取り外すことなく、側部支持部材を下部支持部材に確実に連結した状態で、固定治具の取り外しを行うことができる。
第６発明では、第１〜第４発明のいずれかの橋梁用支承装置の据付方法に用いられる固定治具であって、前記固定治具は、橋軸方向に開口するボルト挿通用スリットを有する基板に、縦部分が一体に設けられ、その縦部分の上部に橋軸直角方向の上沓側に張り出す押圧部を備えているので、簡単な構造の固定治具とすることができ、また、固定治具を側部支持部材に残す場合には、固定治具における押圧部を上沓に対向配置される上揚力抵抗部として利用することができる等の効果が得られる。
【図面の簡単な説明】
【０００７】
【図１】本発明の第１実施形態の支承装置の据付方法の説明図であって、支承装置を桁に仮固定してクレーン等により搬送している状態を橋軸方向から見た場合の一部縦断正面図である。
【図２】図１を橋軸直角方向から見た場合の側面図である。
【図３】図１における一部を省略して示す平面図である。
【図４】一方の固定治具を示すものであって、（ａ）は正面図、（ｂ）は平面図、（ｃ）は側面図、（ｄ）は（ａ）における一点鎖線で囲んだ部分を拡大して示す図である。
【図５】他方の固定治具を示すものであって、（ａ）は正面図、（ｂ）は平面図、（ｃ）は側面図、（ｄ）は（ａ）における一点鎖線で囲んだ部分を拡大して示す図である。
【図６】図１の状態の桁に仮固定した支承装置を下部構造物上に搬送して、所定の位置に配置した状態を示す一部縦断正面図である。
【図７】図６の一部縦断側面図である。
【図８】アンカー孔等に無収縮モルタル等の硬化性充填材を充填した状態を示す縦断正面図である。
【図９】図８の縦断側面図である。
【図１０】図８の平面図である。
【図１１】本発明の第２実施形態の支承装置の据付方法の説明図であって、支承装置を桁に仮固定してクレーン等により搬送している状態を橋軸方向から見た場合の一部縦断正面図である。
【図１２】図１１を橋軸直角方向から見た場合の側面図である。
【図１３】図１１における一部を省略して示す平面図である。
【図１４】図１１の状態の桁に仮固定した支承装置を下部構造物上に搬送して、所定の位置に配置した後、アンカー孔等に無収縮モルタル等の硬化性充填材を充填した状態を示す縦断正面図である。
【図１５】図１４の縦断側面図である。
【図１６】図１４における桁を省略して示す平面図である。
【図１７】本発明の第３実施形態を示すものであって、図１６の状態から固定治具を取り外した後、ボルトのみ締め込んだ状態を示す平面図である。
【図１８】本発明の第４実施形態を示すものであって、図１３あるいは図１６において、側部支承部材の上面側に、雌ねじ孔が設けられている場合を示す平面図である。
【図１９】図１８の状態から固定治具を取り外してボルトを締め込むと共に、側部支承部材上に、上揚力抵抗部材を設置した状態を示す平面図である。
【図２０】図１９の橋軸方向から見た一部縦断正面図である。
【図２１】図２０の一部縦断側面図である。
【図２２】下部支持部材上に設けられるストッパ部材と弾性支承との関係を示す一部縦断側面図である。
【図２３】本発明の第５実施形態を示すものであって、上沓と下部支持部材との間に仮固定した支承装置を下部構造物上に搬送して、ソールプレートに固定して所定の位置に配置した状態を示す縦断正面図である。図１３あるいは図１６において、側部支承部材の上面側に、雌ねじ孔が設けられている場合を示す平面図である。
【図２４】上沓と下部支持部材との間に仮固定した支承装置を下部構造物上に搬送して、所定の位置に配置した後、アンカー孔等に無収縮モルタル等の硬化性充填材を充填した状態を示す縦断正面図である。
【発明を実施するための形態】
【０００８】
次に、本発明を図示の実施形態に基づいて詳細に説明する。
【０００９】
先ず、図４及び図５を参照しながら本発明において使用する鋼製の固定治具１について説明すると、水平に配置される鋼板製基板２における橋軸直角方向の中間部に、橋軸方向の一端側に開口するボルト挿通用のスリット３が設けられ、前記鋼製基板における橋軸直角方向における一端側（桁側）には、垂直に立設された縦部分４が一体に連接され、その縦部分４の上端部には、橋軸直角方向の桁側に張り出す横部分５の中間部が溶接Ｗ等により固定されて、前記横部分５の橋軸直角方向の桁側の先端部を押圧部６としている。
なお、図示を省略するが、前記基板２と縦部分４とを溶接により一体に組み立ててもよく、あるいは基板２と縦部分４のいずれか一方にボルト挿通孔を有するフランジ（横又は縦方向のフランジ）を設け、他方に雌ねじ孔を設けてボルトにより一体に組み立てるようにしてもよい。
【００１０】
前記の固定治具１は、図６に示すように、上沓７の係合フランジ１５と、側部支持部材８に設けられる桁側に張り出す上揚力抵抗部２８との間に所定の間隙Ｇを形成するために、硬質ゴム板等のスペーサ９（図１参照）を仮固定するために用いる場合、あるいはスペーサ９を取り外した後に、側部支持部材８側に取り付けられて、前記押圧部６を上揚力抵抗部として機能させる場合等に使用される。
【００１１】
前記のスリット３は、固定治具１を仮固定するためのボルト１９（図３参照）を配置するため、および前記ボルト１９を若干緩めることで固定治具１を橋軸方向に移動させて容易に取り外し可能にするために設けられている。
【００１２】
前記の固定治具１は、後記の実施形態において示すように、側部支持部材８に設けられるボルト挿通孔に挿通して、鋼製のベースプレート部を備えた鋼製の下部支持部材１０にねじ込まれるボルト１９により側部支持部材８に固定される場合と、図示を省略するが、側部支持部材８に設けられる雌ねじ孔にねじ込まれるボルトにより固定される場合とがある。
【００１３】
次に、前記の固定治具１を使用した本発明の第１実施形態の橋梁用支承装置の据え付け方法について、図１〜図１０を参照して説明する。
【００１４】
先ず、図１〜図３に示す状態は、鋼製桁１１ａからなる上部構造物１１の下側に溶接により固定された鋼製ソールプレート３７を介してセットボルト３６により固定されている鋼製上沓７に、弾性支承１２（図２２参照）を設置した下部支持部材１０を仮固定して、上部構造物１１側と下部支持部材１０とを仮固定して、上部構造物１１と弾性支承１２と下部支持部材１０とを一括して搬送可能な状態である。
なお、上部構造物１１と弾性支承１２と下部支持部材１０とを仮固定する形態を主に説明するが、既存の橋梁支承装置を補修する場合には、上部構造物１１はそのまま利用されるため、上部構造物１１が若干ジャッキアップされた状態で、上沓７と弾性支承１２と下部支持部材１０とを仮固定した状態で搬送し、上沓７をソールプレート３７に対向又は圧着させた状態で前記セットボルト３６により取り付けられる。
【００１５】
弾性支承１２を内蔵した下部支持部材１０における弾性支承１２の上部の滑り支承面１３が上沓７の下面の滑り面に押圧された状態である。
【００１６】
次に、図１〜図３に示されている支承装置の構造について説明する。
【００１７】
Ｈ形鋼等の鋼製桁１１ａからなる上部構造物１１の下側に、鋼製上沓７が適宜鋼板を介して取り付けられており、前記鋼製上沓７における橋軸直角方向の両側部上面には、橋軸方向に伸びる切り欠き段部１４を備えているおり、その切り欠き段部１４には、橋軸直角方向外側に張り出すと共に橋軸方向に延長する係合フランジ１５を備えている。
【００１８】
下部に間隔をおいて複数のアンカーボルト１６の上端部をねじ込み固定した鋼製下部支持部材１０には、その橋軸直角方向の両側部上面側に橋軸方向に間隔をおいて複数の雌ねじ孔１７が設けられている。前記下部支持部材１０の橋軸直角方向の両側部には、橋軸方向に間隔をおいて複数のボルト挿通孔１８を有する側部支持部材８が配置されて、前記ボルト挿通孔１８に挿通されると共に前記雌ねじ孔１７にねじ込まれたボルト１９により、前記側部支持部材８は、下部支持部材１０に対して、着脱可能に設けられている。
前記のボルト１９は、橋軸方向に間隔をおいて、複数（図示の場合は４本）設けられている。
前記の下部支持部材１０における橋軸方向の両端部には、橋軸直角方向の中間部において、橋軸直角方向に間隔をおいて複数の雌ねじ孔２０が設けられている。
前記下部支持部材１０の上面には、ストッパ部材２１が載置され、前記ストッパ部材２１はその中央部に円形の貫通孔からなる弾性支承配置用の貫通孔を有し、その貫通孔の周囲壁を、弾性支承における弾性層２２の水平方向のせん断変形を拘束するせん断変形拘束壁２３としている（図２２参照）。
前記のストッパ部材２１はその橋軸方向の両端部のボルト挿通孔に挿通されると共に下部支持部材１０の雌ねじ孔２０にねじ込まれたボルト２４により、前記ストッパ部材２１は、下部支持部材１０に固定されている。
【００１９】
ストッパ部材２１の貫通孔に弾性支承１２が配置され、弾性支承１２は、下部支持部材１０の上面に載置されている。
弾性支承１２は、上下のキャップ状の鋼板２５を対向するように配置され、その間にゴムのような弾性層２２を積層一体化していると共に、上部の鋼板上面の凹部に、四フッ化エチレン板からなる滑り支承板２６を備えている。弾性支承１２における上部のキャップ状の鋼板２５の側周面がせん断変形拘束壁２３の内周面に係合することで、弾性支承１２の弾性層２２のせん断変形は阻止される。弾性支承１２における上部のキャップ状の鋼板２５の側周面とせん断変形拘束壁２３の内周面との横方向の間には、小さな間隙が形成されている。
【００２０】
前記の滑り支承板２６の上面レベルは、ストッパ部材２１の上面より突出することで、上部構造物１１側の上沓７下面に固定のステンレス板等の滑り面に係合可能にされている。
したがって、前記の上下の滑り面により、橋台又は橋脚等の下部構造部物２７側に固定される下部支持部材１０上の弾性支承１２に対して、上部構造物１１側が橋軸方向にすべり移動可能な構造となっている。
【００２１】
さらに、側部支持部材８を固定している橋軸方向両端部のボルト１９には、固定治具１が、それぞれ側部支持部材８に配置されると共に固定治具１における基板２が側部支持部材８とボルト１９頭部との間に配置されて固定されている。
【００２２】
前記押圧部６の下面と、上沓７における係合フランジ１５との間に所定の間隙Ｇが生じる状態となるように、各固定治具１における横部分５と、上沓７における係合フランジ１５との間に、硬質ゴム板、革板、あるいは鋼板等の金属板等からなるスペーサ９が介在された状態で、各固定治具１を、側部支持部材８を下部支持部材１０に固定するためのボルト１９を利用して、前記固定治具１は、側部支持部材８を介して、下部支持部材１０に固定している。
前記のように側部支持部材８を下部支持部材１０に一体に設けた形態の下部支持部材１０である場合には、固定治具１は側部支持部材８にボルトにより固定するようにすればよい。
【００２３】
前記の状態では、弾性支承１２における滑り面が、上沓７に押圧されて、かつ下部支持部材１０と、桁からなる上部構造物１１と上沓７が、スペーサ９を介在された橋軸直角方向両側の固定治具１により仮固定されている。また、前記スペーサ９は硬質ゴム板等の鋼材との摩擦係数が大きい部材であるほうが、搬送時における下部支持部材１０側と上沓７（上部構造物１１）側の橋軸方向あるいは橋軸直角方向の相対的なずれ移動を防止できるので、望ましい。前記のスペーサ９が鋼材等である場合には、適宜接触面をゴムあるいは合成樹脂等の摩擦係数が高まる弾性材料等の被覆層を設けたり、粗面とすることで、係合面同士の摩擦係数が高まるようにするとよい。
【００２４】
前記のスペーサ９が介在されて固定治具１が取り付けられた状態においては、側部支持部材８の上揚力抵抗部２８の先端部下面と、上沓７におけるフランジ１５の上面との間には、所定の間隙Ｇが形成されている。
前記のスペーサ９は、平板状としてもよいが、平板状以外にも、上面に凹溝状部を有するスペーサ９でもよく、前記の凹溝状部に固定治具１を係合させるようにしてもよい。
なお、図において、符号３４は上沓７の凹部と、桁１１ａの下側に固定の高さ調整用の鋼板の凹部とに嵌合配置される鋼製短柱状のせん断キーであり、符号３６は、上沓７を桁１１ａの下フランジ３５に固定するためのセットボルトである。
【００２５】
図１〜図３に示すように、桁からなる上部構造物１１側と弾性支承１２及び下部支持部材１０並びにアンカーボルト１６を含めて一括して、桁からなる上部構造物１１側の吊り金具（図示を省略した）を吊りケーブル等の条体を介してクレーン等により、吊り上げ搬送する。そして、予め下部構造物２７側に、橋軸方向および橋軸直角方向に間隔をおいて設けられている複数のアンカーボルト挿入孔２９に、下部支持部材１０下側のアンカーボルト１６を挿入すると共に、桁からなる下部構造物２７上に設置されている仮受ジャッキ（図示を省略した）上に上部構造物１１を載置して、下部支持部材１０を下部構造物２７から浮かせた状態で配置する。その状態で、前記アンカーボルト挿入孔２９および下部支持部材１０の下面レベルまで、無収縮モルタル３０又はモルタル或いはコンクリート等の硬化性充填材３０を充填・硬化する。
【００２６】
その後、又は下部支持部材１０を下部構造物２７上のスペーサ上に搬送配置後、搬送固定治具１を固定しているボルト１９を若干緩めて、スペーサ９をそのスリット３の開放側に移動するように橋軸方向に固定治具１をスライド移動して、固定治具１を取り外すと共に、スペーサ９を撤去する。前記緩めたボルト１９を締め込んで、図６及び図７又は図８〜図１０に示すように、側部支持部材８を下部支持部材１０に強固に固定する。
前記の固定治具１を固定しているボルト１９を緩めても、残りの複数のボルト１９が側部支持部材８を下部支持部材１０に確実に固定しているため、固定治具１を固定しているボルトの操作が可能になっている。
前記のような固定治具１の基板２に、横方向に開口するスリット３を備えていると、ボルト１９を抜き取ることなく、単に緩めるだけで、容易に固定治具１を取り外すことができる。
固定治具１の基板２に、スリット３に代えてボルト挿通孔が設けられている場合には、前記ボルト１９の脱着操作をすることでも、固定治具１を側部支持部材８から取り外し、側部支持部材８を下部支持部材１０に確実に固定することができる。
前記のような状態においては、地震動時において、下部構造物に対して上部構造物が相対的に上方に離反するような動きに対して、前記の上揚力抵抗部２８が、上沓７における係合フランジ１５の上面に係合して抵抗するようになる。
【００２７】
（第２実施形態）
図１１から図１６を参照して、前記第１実施形態の変形形態である本発明の第２実施形態の橋梁用支承装置の据付方法について簡単に説明する。
この形態は、側部支持部材８に上揚力抵抗部２８を備えていない形態の場合で、前記の固定治具１を利用して、固定治具１における押圧部６を上揚力抵抗部として利用した形態である。図１１〜図１３には、上部構造物１１側の上沓７に、弾性支承１２を内蔵するようにストッパ部材２１を固定した下部支持部材１０を吊り下げるように仮固定して搬送可能な状態が示され、図１４から図１６には、下部構造物２７に搬送した後、アンカーボルト挿通孔２９に無収縮モルタルからなる硬化性充填材３０を充填すると共に、スペーサ９を撤去した状態が示されている。
【００２８】
施工手順は、前記の場合と同様で、固定治具１を固定しているボルト１９を緩めて、前記スペーサ９を取り外す時に、固定治具１をそのまま残置して、ボルト１９を締め込んで固定治具１を固定し、固定治具１の横部分５と上沓７における係合用フランジ１５の上面との間に所定の間隙Ｇを形成している。
この形態では、上沓７上面と、スペーサ９の上面との距離により、所定の間隙Ｇの高さ寸法が設定され、その高さ寸法レベルに、固定治具１における横部分５の下面レベルを低下させることで、所定の間隙が形成可能にされている。
【００２９】
（第３実施形態）
図１７を参照して、本発明の第３実施形態の橋梁用支承装置の据付方法について説明する。
この形態は、下部構造物２７と桁等の上部構造物１１との間に、別個にこれらの構造物１１，２７に連結される上揚力抵抗装置（図示を省略した）と共に使用する場合に、側部支持部材８に上揚力抵抗部を設ける必要のない場合である。
施工手順は、前記第１実施形態と同様な据え付け施工手順と同様に実施できるため、施工手順の説明は省略する。
なお、前記の上揚力抵抗装置としては、公知の弾性支承体を用いればよく、弾性支承体としては、上下両端部にボルト又はボルト・ナットにより取り付け可能な張り出しフランジを有する取り付け鋼板を有し、両取り付け用鋼板の間にゴム等の弾性層と鋼板等の硬質板とを交互に積層一体化し、水平方向にせん断変形可能な弾性支承体を用い、両取り付け用鋼板を、それぞれ上部構造物及び下部構造物に取り付ければよく、両取り付け用鋼板のいずれか一方と構造物側との間には間隙が設けられ、上部構造物の鉛直荷重を負担しない形態である。このような上部構造物の鉛直荷重を負担しない形態の弾性支承体からなる上揚力抵抗装置と、本発明における上部構造物の鉛直荷重を負担する装置との組み合わせ形態となる。
【００３０】
（第４実施形態）
図１８〜図２１を参照して、本発明の第４実施形態の橋梁用支承装置の据付方法について説明する。
この第４実施形態は、側部支持部材８に上揚力抵抗部を備えていない形態で、側部支持部材８の上面側に、上揚力抵抗部を備えた上揚力抵抗部材３１をボルト３３により固定するための複数の雌ねじ孔３２を備えた形態である。
このような形態では、前記第１実施形態と同様で図１８に示すように、固定治具１と上沓７における係合フランジ１５との間にスペーサ９を介在させた状態で、上部構造物１１と共に弾性支承１２を備えた下部支持部材１０を下部構造物の所定の位置に搬送配置する。そして、図１９に示すように、側部支持部材８に上揚力抵抗部を備えた上揚力抵抗部材３１を取り付ける。なお、上揚力抵抗部材３１の取り付け時期は、予め又は前記の下部構造物の所定の位置に搬送後いずれの時期でもよい。
前記第１実施形態と同様に、下部支持部材１０等と共に桁からなる上部構造物１１を下部構造物２７上に設置の仮受けジャッキ上に配置し、アンカーボルト挿入孔２９に無収縮モルタル等の硬化性充填材３０を充填・硬化する。そして、固定治具１とスペーサ９を撤去すると共に仮受ジャッキを短縮して撤去する。
【００３１】
なお、前記の側部支持部材８は、予め下部支持部材１０に一体に設けられている形態でもよく、このような場合には、側部支持部材８に雌ねじ孔を設けるようにすればよい。
【００３２】
前記実施形態の場合は、滑り支承面を有する可動支承の場合を説明したが、本発明を実施する場合、滑り支承面を備えていない固定支承の場合にも適用するようにしてもよい。
このような固定支承の形態では、弾性支承１２の上部に連結鋼板を備えた形態として、連結鋼板と上沓とをボルトあるいはボルト・ナット等により連結するようにすればよい。前記の連結鋼板と上沓等には、適宜ボルト挿通孔あるいは雌ねじ孔が設けられる。
【００３３】
本発明を実施する場合、固定治具１としては、基板２と、縦部分４と、横部分５及び押圧部６を一体に屈曲連接した形態としてもよい。
【００３４】
前記実施形態では、固定治具１における基板２に、橋軸方向に開口するスリット３を設けた形態とすると、基板２におけるスリット３の橋軸直角方向の両側部分が、ボルト１９により、橋軸直角方向に移動するのを拘束され、基板２が橋軸直角方向への移動により外れるのを防止している。なお、固定治具１における基板２に、橋軸直角方向へ開口するスリットを設ける形態としてもよく、この場合に、桁側に開口するスリットあるいは桁と反対側に開口するスリットとしてもよく、さらに縦部分４を棒状体とすると、ボルト１９を緩めた状態で固定治具１を回動して橋軸直角方向に移動して取り外すことでもよい。
【００３５】
（第５実施形態）
図２３〜図２４を参照して、本発明の第５実施形態の橋梁用支承装置の据付方法について説明する。この形態は、図１〜３における上部構造物１１（１１ａ）が予めセットされていない形態であり、この形態は、既存の橋梁支承装置を補修する場合に適用できる形態である。
この第５実施形態は、上沓７と下部支持部材１０との間に弾性支承１２を介在させた状態で仮固定し、下部支持部材１０と共に仮固定された全体をクレーン等により吊り上げ搬送することで、適宜ジャッキアップされた既設の桁１１ａの下側で下部構造物２７上に搬送し、その後、上沓７の上面をソールプレート３７の下面に対向又は圧着させた状態でセットボルト３６により、既設の桁１１ａに固定して、上部構造１１（桁１１ａ）を所定の位置に配置した形態である。
このような形態では、下部支持部材１０を広巾寸法のものを用い、アンカーボルト挿通孔を有する下部支持部材１０として、その下部支持部材１０のアンカーボルト挿通孔に、下部支持部材１０の上側からナット付きアンカーボルト１６を下部構造物２７のアンカーボルト挿入孔２９に落とし込んで配置した後、適宜桁をジャッキダウンして弾性支承１２を所定のレベルに位置させた後、図２４に示すように、無収縮モルタル等の硬化性充填材３０を充填・硬化し、ナット３８を締め込んで設置が完了する。
前記の変形形態として、図示を省略するが、下部支持部材１０を下部構造物に固定する形態としては、下部支持部材１０にアンカーボルト挿通孔を兼ねたカプラー嵌合係止孔を設け、アンカーボルト１６を備えた雌ねじ孔付きカプラーを下部支持部材１０の上から落とし込んで下部支持部材１０に係止し、広巾頭部を有するボルトを下部支持部材１０の上側から、前記カプラーの上部の雌ねじ孔にねじ込んで締め込む形態等、従来公知の各種の形態を採用してもよい。
【符号の説明】
【００３６】
１  固定治具
２  基板
３  スリット
４  縦部分
５  横部分
６  押圧部
７  上沓
８  側部支持部材
９  スペーサ
１０  下部支持部材
１１ａ  桁
１１  上部構造物
１２  弾性支承
１３  滑り支承面
１４  切り欠き段部
１５  係合フランジ
１６  アンカーボルト
１７  雌ねじ孔
１８  ボルト挿通孔
１９  ボルト
２０  雌ねじ孔
２１  ストッパ部材
２２  弾性層
２３  せん断変形拘束壁
２４  ボルト
２５  キャップ状の鋼板
２６  滑り支承板
２７  下部構造物
２８  上揚力抵抗部
２９  アンカーボルト挿入孔
３０  硬化性充填材（無収縮モルタル）
３１  上揚力抵抗部材
３２  雌ねじ孔
３３  ボルト
３４  せん断キー
３５  下フランジ
３６  セットボルト
３７  ソールプレート
３８  ナット
【図１】
0005412307.tif 000002
【図２】
0005412307.tif 000003
【図３】
0005412307.tif 000004
【図４】
0005412307.tif 000005
【図５】
0005412307.tif 000006
【図６】
0005412307.tif 000007
【図７】
0005412307.tif 000008
【図８】
0005412307.tif 000009
【図９】
0005412307.tif 000010
【図１０】
0005412307.tif 000011
【図１１】
0005412307.tif 000012
【図１２】
0005412307.tif 000013
【図１３】
0005412307.tif 000014
【図１４】
0005412307.tif 000015
【図１５】
0005412307.tif 000016
【図１６】
0005412307.tif 000017
【図１７】
0005412307.tif 000018
【図１８】
0005412307.tif 000019
【図１９】
0005412307.tif 000020
【図２０】
0005412307.tif 000021
【図２１】
0005412307.tif 000022
【図２２】
0005412307.tif 000023
【図２３】
0005412307.tif 000024
【図２４】
0005412307.tif 000025